(57)【要約】【課題】容器本体の帯電に伴う課題を解決し得る容器の製造方法を提供すること。【解決手段】本発明の内容物入り容器の製造方法は、封止前の容器本体２内に充填された内容物１０に導体６を接触させ、内容物１０及び導体６を通じて容器本体２の除電を行った後、導体６を容器本体２内から出して容器本体２を封止する。容器本体２内に充填された内容物１０に導体６を貫入させて内容物１０と導体６とを接触させることが好ましい。また、容器本体２は、一端に口頸部２１が形成され、他端に扁平なシール部２２が形成されたチューブ容器であることが好ましい。【選択図】図１
2009051517.tif 000002
【特許請求の範囲】
【請求項１】
容器内に内容物が充填された内容物入り容器の製造方法であって、
封止前の容器本体内に充填された内容物に導体を接触させ、前記内容物及び前記導体を通じて前記容器本体の除電を行った後、前記導体を前記容器本体内から出して前記容器本体を封止する内容物入り容器の製造方法。
【請求項２】
前記容器本体内に充填された前記内容物に前記導体を貫入させて該内容物と該導体とを接触させる請求項１に記載の内容物入り容器の製造方法。
【請求項３】
前記容器本体内に前記内容物を充填しながら該内容物と前記導体とを接触させる請求項１に記載の内容物入り容器の製造方法。
【請求項４】
前記容器本体が、一端に口頸部が形成され、他端に扁平なシール部が形成されたチューブ容器である請求項１〜３の何れかに記載の内容物入り容器の製造方法。
【発明の詳細な説明】
【技術分野】
【０００１】
本発明は、容器内に内容物が充填された内容物入り容器の製造方法に関する。
【背景技術】
【０００２】
容器の製造工程においては、高い電圧をかけてピンホールの有無を検査している場合がある（例えば、特許文献１参照）。この検査を経て製造されている容器は、加飾上の制約から、容器本体に多量の帯電防止剤を添加できないため、容器本体の放電が十分になされずに帯電している場合があり、容器本体に埃などが付着し易い課題を有していた。
【０００３】
【特許文献１】特開平９−２０３７２６号公報
【発明の開示】
【発明が解決しようとする課題】
【０００４】
本発明は、上記課題に鑑みてなされたものであり、容器本体の帯電に伴う課題を解決し得る容器の製造方法を提供することを目的とする。
【課題を解決するための手段】
【０００５】
本発明は、容器内に内容物が充填された内容物入り容器の製造方法であって、封止前の容器本体内に充填された内容物に導体を接触させ、前記内容物及び前記導体を通じて前記容器本体の除電を行った後、前記導体を前記容器本体内から出して前記容器本体を封止する内容物入り容器の製造方法を提供することにより、前記目的を達成したものである。
【発明の効果】
【０００６】
本発明の内容物入り容器の製造方法によれば、容器本体の帯電を抑えることができるので、その表面に埃などが付着し易いといった従来の容器が有していた容器本体の帯電に伴う不具合を解消することができる。
【発明を実施するための最良の形態】
【０００７】
以下本発明を、その好ましい実施形態に基づき図面を参照しながら説明する。
【０００８】
図１は、本発明の第１実施形態による内容物入りチューブ容器の製造工程を示すものであり、本実施形態では、先ず、図１（ａ）に示したように、封止前の容器本体２の口頸部２１（図２参照）に蓋体３を装着し、蓋体３を下に向けた状態で搬送用のホルダー４内に配置する。
【０００９】
図２に示したように、容器本体２は、いわゆるチューブ容器であり、一端に外周に螺旋を有する口頸部２１が形成され、他端に扁平なシール部２２が形成されるが、封止前の状態では、図１（ａ）のようにシール部２２は開口している。容器本体２中の帯電防止剤の含有量は、加飾を考慮して０．１質量％以下とことが好ましい。含有させる帯電防止剤としては、非イオン性界面活性剤等が挙げられる。
【００１０】
蓋体３は、帯電防止剤を含有する樹脂成形体で構成されていることが好ましい。蓋体３を構成する樹脂としては、ポリプロピレン、ポリエチレン等が挙げられる。また、蓋体３に含ませる帯電防止剤としては、非イオン性界面活性剤等が挙げられる。前記帯電防止剤は、成形性、加飾適性、帯電防止効果を考慮すると、蓋体３中に０．０５〜１．００質量％含ませることが好ましく、０．２〜０．４質量％含ませることがより好ましい。
【００１１】
次に、図１（ｂ）に示したように、封止前の容器本体２の上方から内容物１０の充填ノズル５を挿入し、内容物１０を充填する。所定量の内容物１０が充填されたら充填を停止し、充填ノズル５を引き上げて容器本体２内から取り出す。
【００１２】
容器本体２に充填する内容物１０は、充填時に口頸部２１内まで十分に充填されにくく、蓋体３側に放電ができないほど粘度が高いものであればよい。
【００１３】
内容物１０は、上記粘度範囲において、容器本体２に腐食等損傷を及ぼさなければ、その成分に特に制限はないが、例えば、洗顔フォーム、ヘアトリートメント、歯磨き、ハンドクリーム、メイク落とし等が挙げられる。
【００１４】
次に、図１（ｃ）に示したように、容器本体２内に充填された内容物１０に導体６を貫入させて内容物１０に接触させ、内容物１０及び導体６を通じて容器本体２の除電を行う。その後、導体６を引き上げて容器本体２内から出す。
【００１５】
導体６は、内容物１０に接触したときに、当該内容物１０を通じて容器本体２を除電できる導電性を有し、内容物１０の品質等に影響を与えないものであれば、特に制限はない。導体６としては、銅、鉄等の金属等が挙げられる。導体６の形態は、容器本体２に損傷を与えずに出し入れできる形態であれば、その形態に特に制限はない。
【００１６】
次に、図１（ｄ）に示したように、容器本体２内にエアノズル７を挿入し、エアノズル７からシール部２２の内側に向けて熱風を吹き付けて加熱する。そして、エアノズル７を退避させ、図１（ｅ）に示したように、シール装置８で加熱されたシール部２２を圧着させて封止する。
【００１７】
以上説明したように、本実施形態の容器１の製造方法では、内容物１０の充填後に導体６を内容物１０に貫入させるので、容器本体２が検査後に帯電している場合でも、内容物１０を通じて除電が行われ、容器本体２の帯電を確実に除去することができる。よって、容器本体２の表面に埃などが付着し易いといった従来の容器が有していた種々の不具合を解消することができる。
【００１８】
図３は、本発明の第２実施形態による容器の製造方法を示すものである。この図において、図１に示した第１実施形態の容器１の製造方法と共通する部分については、同一符号を付し、その説明は省略する。よって、特に説明のない部分については、第１実施形態の説明が適宜適用される。
【００１９】
図３に示す第２実施形態による容器の製造方法は、導体６を内容物１０に接触させて容器本体２を除電する工程が異なる以外は、第１実施形態と同様である。即ち、本実施形態による容器の製造方法は、図３（ａ）に示したように配置された封止前の容器本体２の上方から、図３（ｂ）に示したように内容物１０の充填ノズル５及び導体６を挿入し、容器本体２内に内容物１０を充填しながら内容物１０と導体６とを接触させ、内容物１０及び導体６を通じて容器本体２の除電を行う。内容物１０の充填及び容器本体２の除電を行った後、充填ノズル５及び導体６を容器本体２から取り出す。その後の、図３（ｃ）及び（ｄ）に示す工程は、第１実施形態による容器の製造工程と同様である。
【００２０】
本実施形態の容器の製造方法は、第１実施形態の容器１の製造方法と同様に、容器本体２の検査後に帯電している場合でも、容器本体２の除電を確実に行うことができる。よって、容器本体２の表面に埃などが付着し易いといった従来の容器が有していた容器本体の帯電に伴う不具合を解消することができる。また、本実施形態の製造方法では、内容物の充填と容器本体２の除電を同時に行うことができるので、製造工程の簡略化が図られる。
【００２１】
本発明は、前記各実施形態に制限されない。
例えば、前記実施形態では、蓋体３が螺着によって容器本体２の口頸部２１に装着される形態としたが、口頸部２１への蓋体３の装着形態に特に制限はない。例えば、蓋体が嵌合によって容器本体の口頸部に装着される形態、ヒンジを介して開閉する形態とすることもできる。
【００２２】
また、前記実施形態では、蓋体３が螺着によって容器本体２の口頸部２１に装着される形態としたが、打ち込み式のキャップに用いることもできる。
【００２３】
本発明の内容物入り容器の製造方法は、前記実施形態におけるようなチューブ容器以外の容器にも適用することができる。
【図面の簡単な説明】
【００２４】
【図１】本発明の第１実施形態による製造工程を示す断面図であり、（ａ）は内容物を充填する前の状態を示す図、（ｂ）は内容物を充填している状態を示す図、（ｃ）は除電している状態を示す図、（ｄ）は接合部を加熱している状態を示す図、（ｅ）は接合部を圧着している状態を示す図である。
【図２】第１実施形態により製造される内容物入り容器の一形態を示す部分断面図である。
【図３】本発明の第２実施形態による製造工程を示す断面図であり、（ａ）は内容物を充填する前の状態を示す図、（ｂ）は内容物の充填とともに除電している状態を示す図、（ｃ）は接合部を加熱している状態を示す図、（ｄ）は接合部を圧着している状態を示す図である。
【符号の説明】
【００２５】
１  容器
２  容器本体
２１  口頸部
２２  シール部
３  蓋体
４  ホルダー
５  充填ノズル
６  導体
７  エアノズル
８  シール装置
１０  内容物
【図１】
2009051517.tif 000003
【図２】
2009051517.tif 000004
【図３】
2009051517.tif 000005